(57)【要約】【課題】  携帯電話端末の如き端末に内蔵されたカメラを有効に活用できるようにする。【解決手段】  カメラ３０を内蔵した端末装置において、カメラ３０として可視光領域の他に近赤外線領域の撮影を行う手段とし、カメラ３０で撮影された特定の撮影領域の可視光領域内の特定の色の成分と近赤外線成分との差分を検出する検出手段と、検出手段で検出された差分の値を、予め設定された所定の演算で変換する変換手段と、変換手段で変換された値、又は値に対応した表示を行う表示手段２３とを備えた。【選択図】      図１
2006332774.tif 000002
【特許請求の範囲】
【請求項１】
撮影手段を内蔵した端末装置において、
前記撮影手段として、可視光領域の他に近赤外線領域の撮影を行う手段とし、
前記撮影手段で撮影された特定の撮影領域の可視光領域内の特定の色の成分と近赤外線成分との差分を検出する検出手段と、
前記検出手段で検出された差分の値を、予め設定された所定の演算で変換する変換手段と、
前記変換手段で変換された値、又は値に対応した表示を行う表示手段とを備えたことを特徴とする端末装置。
【請求項２】
請求項１記載の端末装置において、
前記変換手段での変換は、前記撮影手段で撮影した被写体が植物である場合の鮮度に対応した値を得るための変換であることを特徴とする端末装置。
【請求項３】
請求項１記載の端末装置において、
前記表示手段は、前記撮影手段で撮影された可視光領域の画像を表示させ、その表示画像中に、前記特定の撮影領域を示す印を重畳表示させることを特徴とする端末装置。
【請求項４】
請求項１記載の端末装置において、
前記可視光領域内の特定の色の成分と近赤外線成分とは、前記撮影手段が備えた光学フィルタが配置された状態で撮影された出力と、光学フィルタが配置されない状態で撮影された出力とから検出することを特徴とする端末装置。
【請求項５】
請求項１記載の端末装置において、
前記撮影手段は、可視光領域の特定の色の信号を検出する第１の画素と、近赤外線領域の帯域の信号を検出する第２の画素とを備えて、
前記第１及び第２の画素の出力を、前記検出手段で検出することを特徴とする端末装置。
【請求項６】
請求項５記載の端末装置において、
前記第１の画素は、画像撮影用にマトリクス状に複数配置された画素群の中から選ばれた画素であり、
前記第２の画素は、前記マトリクス状に配置された画素群とは異なる位置に配置された画素であることを特徴とする端末装置。
【発明の詳細な説明】
【技術分野】
【０００１】
本発明は、例えば、携帯電話端末のような携帯可能に小型に構成された端末装置に関し、特に静止画又は動画を撮影する撮影手段と、その撮影手段で撮影された画像を表示させる表示手段を内蔵した端末装置に関する。
【背景技術】
【０００２】
近年、携帯電話端末にＣＣＤイメージャなどの撮影手段を内蔵させて、この撮影手段で静止画像又は動画像の撮影を行うようにしたものが、各種普及している。撮影された静止画像又は動画像は、端末に内蔵された表示パネルで表示させることができ、また端末が備える無線電話機能を利用して、他の端末などに画像を伝送することもできる。
【０００３】
携帯電話端末以外でも、例えばＰＤＡなどの小型の情報処理端末に撮影手段を内蔵させて、画像の取り込みができるようにしたものが実用化されている。
【０００４】
特許文献１には、携帯電話端末に撮影手段を内蔵させた例についての開示がある。
【特許文献１】特開２００４−８０４４２号公報
【発明の開示】
【発明が解決しようとする課題】
【０００５】
ところで、携帯電話端末に内蔵される撮影手段は、比較的低コストに製作させる要求があり、単体のカメラ装置（いわゆる電子スチルカメラ、ビデオカメラ）に比べて、機能や性能が劣る傾向にあり、機能や性能が十分であるとは言えない問題があった。携帯電話端末などの携帯用の端末装置は、利用者が常時携帯して使用するケースが多く、撮影機能が多機能化すれば、それだけ撮影手段が有効に活用されるが、従来は十分に活用されているとは言えなかった。
【０００６】
本発明はかかる点に鑑みてなされたものであり、携帯電話端末のような端末に内蔵された撮影手段を有効に活用できるようにすることを目的とする。
【課題を解決するための手段】
【０００７】
本発明は、撮影手段を内蔵した端末装置において、撮影手段として、可視光領域の他に近赤外線領域の撮影を行う手段とし、撮影手段で撮影された特定の撮影領域の可視光領域内の特定の色の成分と近赤外線成分との差分を検出する検出手段と、検出手段で検出された差分の値を、予め設定された所定の演算で変換する変換手段と、変換手段で変換された値、又は値に対応した表示を行う表示手段とを備えたものである。
【発明の効果】
【０００８】
本発明によると、携帯電話端末などの端末装置に内蔵された撮影手段を利用して撮影された信号を利用して、特定の色の成分と近赤外線成分との差分を検出して、植物の鮮度に対応した測定値を得て、その測定値などを表示させることができ、本発明の端末装置を所持していれば、どこにいても、植物の鮮度が簡単に判断できるようになる。
【０００９】
この場合、表示手段は、撮影手段で撮影された可視光領域の画像を表示させ、その表示画像中に、測定したポイントに対応した印を重畳表示させることで、どの位置の鮮度を測定しているのか、撮影画像の表示から直接判断でき、測定時の利便性が向上する。
【００１０】
また、可視光領域内の特定の色の成分と近赤外線成分とは、撮影手段が備えた光学フィルタが配置された状態で撮影された出力と、光学フィルタが配置されない状態で撮影された出力とから検出することで、光学フィルタの切替えで簡単にそれぞれの成分が得られるようになる。
【００１１】
また、撮影手段は、可視光領域の特定の色の信号を検出する第１の画素と、近赤外線領域の帯域の信号を検出する第２の画素とを備えて、第１及び第２の画素の出力を、検出手段で検出することで、一度の撮影で２つの信号成分が得られて、測定できるようになる。
【００１２】
さらに、この第１の画素と第２の画素を備えた場合に、第１の画素は、画像撮影用にマトリクス状に複数配置された画素群の中から選ばれた画素であり、第２の画素は、マトリクス状に配置された画素群とは異なる位置に配置された画素であることで、第１の画素としては、一般的なＣＣＤイメージャのような撮影手段に配置された画素を使用でき、第２の画素として専用のものを用意するだけで、測定ができるようになる。
【発明を実施するための最良の形態】
【００１３】
以下、本発明の一実施の形態を、添付図面を参照して説明する。
本例においては、撮影手段としてのカメラが内蔵された携帯電話端末装置に適用した例としてある。
【００１４】
図１は、本例の携帯電話端末装置の構成例を示した図である。まず、本例の携帯電話端末装置１０の受信系の構成について説明すると、無線通信用のアンテナ１１が受信処理部１２に接続してあり、受信処理部１２で所定の周波数の無線信号の受信を行い、受信信号を復調処理部１３に送り、伝送用に変調された信号の復調処理を行い、復調して得たデータを、データ処理部１４に供給する。データ処理部１４では、受信データに含まれる各データを抽出する。例えば、音声データについては、デジタル／アナログ変換部１５に供給してアナログ音声信号とし、そのアナログ音声信号をスピーカ１６に供給して出力させる。受信した制御データやメールデータなどの音声データ以外のデータについては、制御部２１又はメモリ２２に供給する。
【００１５】
次に、送信系の構成について説明すると、マイクロフォン１７が出力する音声信号を、アナログ／デジタル変換部１８でデジタル音声データに変換し、変換された音声データをデータ処理部１４に供給して、送信用のパケット構造とする。データ処理部１４で得られた送信パケットは、変調処理部１９に供給して送信用に変調し、その変調された信号を送信処理部２０に供給して所定の送信周波数とし、アンテナ１１から無線送信させる。メールデータ、制御データなどの音声データ以外のデータを送信させる場合には、データ処理部１４で、これらのデータを送信パケットに含ませる。
【００１６】
携帯電話端末装置１０が備える制御部２１は、メモリ２２に記憶されたプログラムに基づいて、端末装置１０内の各種処理の制御を行うようにしてある。後述するカメラブロック３０での撮影や、そのカメラブロック３０で撮影された画像を使用した鮮度測定処理についても、制御部２１の制御で実行される。端末装置１０が備える表示部２３での表示についても、制御部２１が制御する。また、操作キーなどで構成される操作部２４の操作データが制御部２１に供給されて、ユーザ操作に基づいた制御処理が実行される。
【００１７】
そして本例の携帯電話端末装置１０は、撮影手段としてのカメラブロック３０を備える。カメラブロック３０は、像光の撮像を行うレンズ３１（図２）を備え、そのレンズ３１を介して結像した像光を、ＣＣＤイメージャ３２で電気信号（撮像信号）に変換する。ＣＣＤイメージャ３２で得た撮像信号は、撮像信号読出部３３で読み出されて、撮像信号処理部３４に供給される。撮像信号処理部３４では、ＣＣＤイメージャ３２から読み出した撮像信号を、所定のフォーマットの画像信号に変換し、その変換された画像信号を、出力部３５から出力させ、メモリ２２（図１）に供給させて記憶させる。メモリ２２に記憶された画像信号は、表示部２３に表示させるとともに、ユーザ操作に基づいて、無線電話機能を利用して、任意の相手に送信することができる。撮影してメモリ２２に記憶又は表示部２３に表示させる画像としては、静止画像と動画像のいずれでもよい。なお、本例のＣＣＤイメージャ３２としては、可視光領域だけでなく、近赤外線領域の信号成分についてもある程度のレベルで検出感度を有するイメージャを使用してある。このような構成のＣＣＤイメージャは、携帯電話端末装置に内蔵されるイメージャとしては、一般的なものである。
【００１８】
図３は、本例のＣＣＤイメージャ３２の撮像画素構成の例を示した図である。本例のＣＣＤイメージャ３２は、縦横所定数マトリクス状に、受光素子で構成される画素が結像面に配置してある。各画素としては、図３に示すように、赤色成分の撮像を行う赤色画素３２Ｒと緑色画素３２Ｇと青色画素３２Ｂとが順に配置してあり、それぞれの色成分の撮像信号から、それぞれの原色信号を得る構成としてある。本例においては、このように画素が配置された内の、中央部などの特定の位置の画素だけについては、赤色成分よりも赤外線領域の近赤外線信号を受光して検出する近赤外線画素３２ＩＲとしてある。但し、赤色画素３２Ｒが撮像する信号についても、近赤外線信号成分が含まれている。各画素３２Ｒ、３２Ｇ、３２Ｂ、３２ＩＲが撮像する色成分は、それぞれの画素を構成する受光素子の上に配置された光学フィルタの特性で決まる。
【００１９】
近赤外線画素３２ＩＲが撮像して出力する近赤外線信号については、通常モードの撮影では使用せず、後述する鮮度測定モードで使用される。また、通常モードでの撮影時には、近赤外線画素３２ＩＲが配置された画素位置では、赤色画素３２Ｒ、緑色画素３２Ｇ、青色画素３２Ｂのすくなくともいずれか１つが欠落することになるので、その欠落した画素の撮像信号については、隣接した同じ色の画素の信号成分を利用して補間する処理が必要になる。この補間処理については、例えば欠陥画素の信号の補間処理で通常行われている技術が採用できる。
【００２０】
また、図３の例では、近赤外線画素３２ＩＲを１画素だけ配置した例としたが、複数の画素を近赤外線画素３２ＩＲとしてもよい。
【００２１】
このように構成されたカメラブロック３０で得られた撮像信号は、図２に示した撮像信号読出部３３で読み出される。この場合、近赤外線画素３２ＩＲから読み出した信号は、他の画素から読出した信号とは別の系統の撮像信号（検出信号）として以後の回路で処理され、後述する鮮度検出処理に使用される。
【００２２】
図４は、本例の携帯電話端末装置の外形形状の構成例を示した図である。図４（ａ）は、携帯電話端末装置１０を表側から見た図であり、図４（ｂ）は、携帯電話端末装置１０を裏側から見た図である。図４（ａ）に示すように、携帯電話端末装置１０の表面には、カメラブロック３０が備えるレンズ３１が配置してあり、そのレンズ３１の近傍に、ライト３６が配置してある。ライト３６は、例えば発光ダイオードを光源として使用して、カメラブロック３０で撮影する際の照度が不足するときに使用されるものであり、例えば制御部２１の制御で発光が行われる。本例の場合には、ライト３６として使用される光源として、白色光を発光する光源としてあるが、その白色光には、近赤外線成分（イメージャ３２の近赤外線画素３２ＩＲが検出する近赤外線成分と同じ成分）が含まれるようにしてある。ライト３６については、例えば後述する鮮度測定モードでの撮影を行う際には、制御部２１などの制御で常時発光するようにしてもよい。
【００２３】
図４（ｂ）に示すように、携帯電話端末装置１０の裏面には、表示部２３を構成する表示パネル、操作部２４を構成する操作キー、スピーカ１６、マイクロフォン１７などが配置してある。操作キーについては、一部のキー２４ａ，２４ｂが端末１０の側面にも配置してある。さらに、端末１０の上端にアンテナ１１が配置してある。側面に配置されたキー２４ａ，２４ｂとしては、ここではキー２４ａをカメラ撮影用のシャッタボタンとしてあり、キー２４ｂを鮮度測定用のボタンとしてある。これらのキー２４ａ，２４ｂの配置および機能割当は一例であり、例えば端末装置１０の裏面側に配置されたキーを撮影や鮮度測定用のキーとしてもよい。
【００２４】
表示部２３での表示としては、携帯電話としての一般的な表示である、発信時や着信時の電話番号表示、電池残量表示、受信レベル表示、メール表示、所定のサイトにアクセスした画面の表示などが行われる。そして、カメラブロック３０で撮影を行った際には、その撮影した画像が、表示部２３に表示される。鮮度測定時においても、カメラブロック３０で撮影された全体画像を表示部２３に表示させた上で、測定ポイントの測定値などが画面上に表示されるようになる。表示例の詳細については後述する。
【００２５】
次に、本例の携帯電話端末装置に内蔵されたカメラブロック３０で撮影された信号から、被写体の鮮度を検出する処理について説明する。本例の鮮度測定処理は、制御部２１内での処理で実行される。図５は、制御部２１での鮮度測定に関する処理構成を示した機能ブロック図である。撮像信号を使用した鮮度測定処理そのものは、制御部２１内での鮮度測定処理プログラムの実行で行われるが、まずその処理を機能ブロックとして説明すると、図５に示すように、メモリ２２に記憶された１フレームの撮像データの中から、赤成分検出部２１ａで、測定ポイントの赤色成分のレベルを検出し、近赤外線成分検出部２１ｂで測定ポイントの近赤外線成分のレベルを検出する。具体的には、近赤外線成分検出部２１ｂで、近赤外線画素３２ＩＲ（図３）が出力した信号のレベルを検出し、赤成分検出部２１ａで、その近赤外線画素３２ＩＲに隣接した位置の赤色画素３２Ｒが出力した信号のレベルを検出する。
【００２６】
そして、それぞれの検出部２１ａ，２１ｂが検出したレベルのデータを、差分検出部２１ｃに供給し、予め設定された演算式による差分検出処理を行う。差分検出処理を行う演算式としては、ＮＤＶＩ値と称される植物の鮮度を赤色成分と近赤外線成分との比から得る演算式である。ＮＤＶＩ値を算出する演算式については後述する。検出された差分のデータは、測定値算出部２１ｄに供給して、表示をするための測定値を算出する。算出された測定値は、表示データ生成部２１ｅに供給して、表示部２３で測定値などを表示させるための表示用のデータが作成される。
【００２７】
図６は、制御部２１での鮮度測定処理をフローチャートで示したものである。まず、カメラブロック３０での撮影（測定）のモードを判断し（ステップＳ１１）、撮影モードが通常のモードである場合には、通常撮影用の図示しない別の処理に移る。そして、撮影モードが鮮度測定モードである場合には、測定ポイントの赤色成分の抽出を行い（ステップＳ１２）、測定ポイントの近赤外線成分の抽出を行い（ステップＳ１３）、それぞれ抽出された信号成分を使用して、ＮＤＶＩ(Normalized Difference Vegetation Index)値の演算処理を行う（ステップＳ１４）。ＮＤＶＩ値が算出されると、表示部２３で表示させる測定値を算出した値に更新させる処理を行い（ステップＳ１５）、連続して測定が行われる場合には、ステップＳ１２に戻って、ＮＤＶＩ値の測定及び表示処理が繰り返される。
【００２８】
図７は、植物の鮮度と撮影される各色成分との関係の例を示した図である。図７の横軸は、光の波長(nm)を示し、縦軸はレベルを比率(最大レベルを１００％)で示してある。特性ａ、ｂ、ｃは、植物の葉に光を照射した場合に検出されるレベル分布を示したものであり、特性ａは鮮度の高い（元気な）葉の特性であり、特性ｂは若干鮮度が落ちている（元気がない）葉の特性であり、特性ｃはさらに鮮度が悪くなった葉の特性である。
【００２９】
特性ａ，ｂは、可視光領域においては、緑色成分が高く、赤色成分が少なく、ほぼ同じ変化特性であり、人間の目にはほぼ同じ状態に見えて、見分けがつかない。ところが、ほぼ７００ｎｍ以上の近赤外線領域においては、元気な葉の特性ａは、非常にレベルが高くなるのに対して、鮮度がある程度悪くなった葉の特性ｂは、レベルがそれなりにしか高くならない。鮮度が非常に悪い葉の特性ｃの場合には、緑色のレベルが落ちており、見かけ上からも鮮度が悪いことが判る。
【００３０】
本例の場合には、この特性ａと特性ｂとの違いを、赤色成分と近赤外線成分との差の検出から判るようにして、鮮度を測定できるようにしたものである。この図７に示したような関係があることに着目して、葉の鮮度を数値で表すようにしたのが、ＮＤＶＩ値である。ＮＤＶＩ値は、次の式により算出される。
ＮＤＶＩ値＝（近赤外線成分値−赤色成分）／（近赤外線成分値＋赤色成分）
【００３１】
ここで計算例を示すと、例えば図７の特性の場合、鮮度の高い特性ａの場合のＮＤＶＩ値としては、
ＮＤＶＩ値＝（１００−１０）／（１００＋１０）＝９０／１１０＝０．８２
となる。また、見かけ上は同じであっても鮮度が落ちた特性ｂの場合のＮＤＶＩ値としては、
ＮＤＶＩ値＝（５０−１０）／（５０＋１０）＝４０／６０＝０．６７
となる。さらに鮮度が落ちた特性ｃの場合のＮＤＶＩ値としては、
ＮＤＶＩ値＝（３０−２８）／（３０＋２８）＝４０／６０＝０．０３
となる。従って、ＮＤＶＩ値を検出することで、植物の鮮度が良いほど高い数値を示すようになり、特に見かけ上は変化がない状態でも、鮮度が高いか否かが判るようになる。
【００３２】
このような変化特性を示す植物としては、緑色の葉を持つ植物の場合に特に有効であり、例えば野菜の場合には、ほうれん草のような、いわゆる葉物野菜に特に有効である。路地などに植えられた樹木などの植物の場合にも、葉を測定（撮影）することで、鮮度（葉の元気度）が判り、木の状態が判断できる。
【００３３】
このようにして測定されたＮＤＶＩ値の表示処理例を示したのが図８である。この例では、カメラブロック３０で撮影された画像を表示部２３のパネルに表示させた上で、その画像中の鮮度測定ポイントを、十字の印などで示すようにしてあり（十字の中心が測定ポイント）、表示パネルの上側には、ＮＤＶＩ値を数値で表示させてある。また、この例では、赤色成分の値と、近赤外線成分の値についても数値で表示させてある。なお、現在の測定を開始させてからのＮＤＶＩ値の最大値を、同時に表示させるようにしてもよい。さらに、電池残量や受信レベルなどの携帯電話端末としての表示も同時に行うようにしてある。
【００３４】
図８の例では、ＮＤＶＩ値は、算出された数値を直接表示させるようにしたが、ユーザが判り易い値に換算した値を表示させるようにしてもよい。例えば、１０段階の数値に換算して、その１０段階の数値を表示させるようにしてもよい。また、算出された数値に対応した印を表示させるようにしてもよい。例えば、鮮度が非常によい状態、鮮度が通常の状態、鮮度が悪い状態の３段階などの複数段階の印を用意して、測定値に応じた印を表示させてもよい。
【００３５】
なお、このようにして測定されたＮＤＶＩ値などは、その測定時に得られた撮影画像（静止画又は動画）とともにメモリ２２に記憶させるようにして、後で表示させたり、あるいはメールに添付して任意の相手に送信するようにしてもよい。
【００３６】
このように本例の携帯電話端末装置１０によると、内蔵されたカメラブロックを使用した撮影で、植物の鮮度が測定でき、その測定された鮮度を表示部２３での表示で直接確認できるので、非常に便利である。例えば、商店に陳列された野菜や、購入して保存された野菜を、本例の携帯電話端末装置１０で撮影して、鮮度の測定を行って表示させることで、鮮度が良いか悪いかが判り、商品を選ぶ判断材料や、保管された野菜が使えるか否かの判断材料とすることが可能になる。路地などに植えられた樹木を撮影した場合には、その樹木が元気か弱っているかの判断ができる。
【００３７】
なお、携帯電話端末装置が内蔵するカメラブロックが備えるイメージャとしては、もともとある程度のレベルで近赤外線成分に対する検出感度を持っており、赤外線撮影専用のカメラ用のイメージャよりは検出特性が悪いが、本例の如きＮＤＶＩ値の検出に使用するためには十分な特性をもっており、図３に示した近赤外線成分を検出する画素を用意することが、比較的簡単に実現可能である。
【００３８】
ここまで説明した実施の形態では、図３に示した構造の専用のイメージャを使用する構成としたが、その他の構成で、同様な検出処理が行える構成としてもよい。例えば、図９に示したように、携帯電話端末装置１０′として、レンズ３１の脇に補助レンズ４１を配置して、その補助レンズ４１を介して入力した光で、近赤外線信号成分の撮影（検出）を行い、レンズ３１を介して入力した光で撮像した赤色成分との差分から、ＮＤＶＩ値を得る構成とする。
【００３９】
図１０は、図９に示す構成とした場合の、カメラブロックの構成例を示した図である。レンズ３１を介して入力した被写体の像光は、ＣＣＤイメージャ３２で撮像されて、撮像信号読出部３３で読み出され、その読み出された撮像信号が、撮像信号処理部３４で処理される。補助レンズ４１を介して入力した光については、赤外線用ＣＣＤイメージャ４２で撮像されて、撮像信号読出部４３で読み出され、その読み出された撮像信号が、撮像信号処理部３４に供給される。赤外線用ＣＣＤイメージャ４２については、鮮度測定を行う測定ポイントの画素を備えた構成であればよく、１画面分の全ての画素は必要ない。また、レンズ４１と赤外線用ＣＣＤイメージャ４２との間には、近赤外線信号成分を抽出する光学フィルタを配置するようにしてもよい。
【００４０】
撮像信号処理部３４では、それぞれのイメージャ３２，４２から読み出された信号を処理して出力部３５から出力させ、制御部２１又はメモリ２２に供給して、ＮＤＶＩ値の算出処理及び表示処理を行う。ＮＤＶＩ値の算出処理及び表示処理については、上述した実施の形態で説明した処理と同様の処理でよく、携帯電話端末装置１０′のその他の部分については、上述した実施の形態で説明した携帯電話端末装置１０の構成と同様とする。
【００４１】
この図９及び図１０に示した構成としたことで、赤色成分と近赤外線成分とをそれぞれ別のイメージャで撮像して検出でき、赤色成分を検出するイメージャとしては通常の可視光撮像用のイメージャをそのまま使用でき、近赤外線成分を撮像（検出）するイメージャとしては、測定ポイントだけを検出できる画素（受光素子）を設けるだけでよく、比較的簡単な構成のイメージャでよく、２つのイメージャを備えた構成で、ＮＤＶＩ値の検出が簡単に行える。
【００４２】
また別の例として、図１１に示すように、カメラブロックとして、近赤外線成分を抽出するフィルタが選択的に配置される構成として、イメージャについては１つだけでよい構成としてもよい。即ち、図１１に示すように、携帯電話端末装置１０″として、レンズ３１を配置するとともに、レンズ３１とＣＣＤイメージャ３２との間に、近赤外線信号成分だけを通過させる光学フィルタ５１を選択的に配置できる構成とする。
【００４３】
図１２は、図１１に示した携帯電話端末装置１０″のカメラブロックの構成を示した図である。図１２に示すように、レンズ３１とＣＣＤイメージャ３２との間に、光学フィルタ５１を選択的に配置できる構成とする。光学フィルタ５１は、フィルタ駆動部５２による駆動で、光路に配置した状態と配置しない状態とが選択できる構成としてある。フィルタ駆動部５２による駆動は、例えば制御部２１による制御で行われ、鮮度測定モードの際に、光学フィルタ５１を配置した状態での撮影と、光学フィルタ５１を配置しない状態での撮影とが連続して行われるようにしてある。
【００４４】
ＣＣＤイメージャ３２で撮像した信号は、撮像信号読出部３３で読出されて、撮像信号処理部３４に供給され、出力部３５で出力され、制御部２１又はメモリ２２に供給される。そして、鮮度測定モードでは、制御部２１で、光学フィルタ５１を配置した状態で撮影して得た近赤外線信号成分と、光学フィルタ５１を配置しないで撮影した信号中の赤色成分を利用して、ＮＤＶＩ値を得る構成とする。
【００４５】
このように構成したことで、フィルタの配置を選択的に行う構成として、１つのイメージャだけを使用した構成で、植物の鮮度を測定することが可能となる。一般に、携帯電話端末装置１０が内蔵するカメラブロックが備えるＣＣＤイメージャとしては、近赤外線成分まで感度を有するものが使用され、このようなフィルタの切換で、十分にＮＤＶＩ値を得ることができる。なお、光学フィルタ５１として、例えば近赤外線成分だけを抽出するフィルタと、可視光成分だけを抽出するフィルタとの２つを用意して、その２つのフィルタを切替える構成としてもよい。そうすることによって、既存のＣＣＤイメージャで撮影した鮮明な画像が取得でき、なおかつ植物の鮮度が分かるイメージャとして蘇る。
【００４６】
また、ここまで説明した各実施の形態の構成では、カメラブロックが備えるイメージャとして、ＣＣＤイメージャを使用した例としたが、ＭＯＳ型イメージャなどのその他の構成のイメージャを使用してもよいことは勿論である。
【００４７】
また、ここまで説明したそれぞれの例では、携帯電話端末装置に内蔵されたカメラ機能を利用するようにしたが、その他のこの種の小型の携帯用の端末装置にカメラ機能と、撮影された画像を表示する表示機能が内蔵された場合にも、適用可能である。
【図面の簡単な説明】
【００４８】
【図１】本発明の一実施の形態による端末装置の構成例を示したブロック図である。
【図２】本発明の一実施の形態によるカメラブロックの構成例を示したブロック図である。
【図３】本発明の一実施の形態によるイメージャの構成例を示した説明図である。
【図４】本発明の一実施の形態による端末の形状例を示した斜視図である。
【図５】本発明の一実施の形態による鮮度判定処理の機能ブロックを示したブロック図である。
【図６】本発明の一実施の形態による鮮度判定処理例を示したフローチャートである。
【図７】本発明の一実施の形態による特性例を示した特性図である。
【図８】本発明の一実施の形態による表示例を示したである。
【図９】本発明の他の実施の形態による端末構成例を示した斜視図である。
【図１０】図９の例によるカメラブロックの例を示すブロック図である。
【図１１】本発明のさらに他の実施の形態による端末構成例を示した斜視図である。
【図１２】図１１の例によるカメラブロックの例を示すブロック図である。
【符号の説明】
【００４９】
１０，１０′，１０″…携帯電話端末装置、１１…アンテナ、１２…受信処理部、１３…復調処理部、１４…データ処理部、１５…デジタル／アナログ変換部、１６…スピーカ、１７…マイクロフォン、１８…アナログ／デジタル変換部、１９…変調処理部、２０…送信処理部、２１…制御部、２２…メモリ、２３…表示部、２４…操作部、３０…カメラブロック、３１…レンズ、３２…ＣＣＤイメージャ、３３…撮像信号読出部、３４…撮像信号処理部、３５…出力部、３６…ライト、４１…補助レンズ、４２…赤外線用ＣＣＤイメージャ、４３…撮像信号読出部、５１…光学フィルタ、５２…フィルタ駆動部
【図１】
2006332774.tif 000003
【図２】
2006332774.tif 000004
【図３】
2006332774.tif 000005
【図４】
2006332774.tif 000006
【図５】
2006332774.tif 000007
【図６】
2006332774.tif 000008
【図７】
2006332774.tif 000009
【図９】
2006332774.tif 000010
【図１０】
2006332774.tif 000011
【図１１】
2006332774.tif 000012
【図１２】
2006332774.tif 000013
【図８】
2006332774.tif 000014